(57)【要約】【課題】広い電流域に亘って出力電流値を適切に検出でき、全域で適切な出力制御を行うことができる電源装置（溶接用電源装置）を提供する。【解決手段】電源装置１０は、出力電流値が大きい側では、検出可能な電流域が広く分解能の粗い仕様の第１電流センサＩＤ１を選択し、出力電流値が小さい側では、検出可能な電流域が狭く分解能の細かい仕様の第２電流センサＩＤ２を選択して、各電流センサＩＤ１，ＩＤ２にて検出した出力電流値に基づく出力制御（インバータ回路１２のスイッチング制御）を行う。【選択図】図１
2015220792.tif 000002
【特許請求の範囲】
【請求項１】
出力電力を生成する電力生成回路と、出力電流値を検出する電流センサとを備えており、前記検出した出力電流値に基づいて前記電力生成回路を制御し所望の出力電力を得る出力制御を行う制御回路を備えた電源装置であって、
前記電流センサには、検出可能な電流域と分解能とを含む仕様の異なるものが複数用いられ、
前記出力電流値が大きい程、検出可能な電流域が広く分解能の粗い仕様の電流センサにて前記出力電流値の検出が行われ、前記出力電流値が小さい程、検出可能な電流域が狭く分解能の細かい仕様の電流センサにて前記出力電流値の検出が行われるように、前記出力電流値に対応して複数の電流センサの内の何れかを選択的に切り替えるセンサ切替手段を備えたことを特徴とする電源装置。
【請求項２】
請求項１に記載の電源装置において、
前記電力生成回路は、スイッチング素子のオンオフ動作により直流電力から高周波交流電力への電力変換を行うインバータ回路を含んで構成され、
前記制御回路は、出力要求が大となる期間では前記インバータ回路のスイッチング素子のオンパルス幅を可変とするパルス幅変調制御を選択し、出力要求が小となる期間では同組で動作するスイッチング素子のオンパルス幅を所定幅に固定しつつ同組のオンパルスに位相差を生じさせる位相シフト制御に切り替える制御切替手段を備え、出力要求に応じたスイッチング制御を実施することを特徴とする電源装置。
【請求項３】
請求項２に記載の電源装置において、
前記制御回路は、前記制御の切り替えと前記電流センサの切り替えとを同期させて行うことを特徴とする電源装置。
【請求項４】
請求項１〜３の何れか１項に記載の電源装置において、
前記センサ切替手段は、複数の前記電流センサ毎の電路を並列接続し、何れの電路を選択的に接続するかで前記電流センサを切り替える回路を含んで構成されたことを特徴とする電源装置。
【請求項５】
請求項１〜４の何れか１項に記載の電源装置において、
前記センサ切替手段は、電源装置の動作開始時には常に、検出可能な電流域が広く分解能の粗い仕様の電流センサを選択するように構成されたことを特徴とする電源装置。
【請求項６】
請求項１〜５の何れか１項に記載の電源装置を用い、溶接用の出力電力を生成するように構成されたことを特徴とする溶接用電源装置。
【発明の詳細な説明】
【技術分野】
【０００１】
本発明は、電流センサを用いた出力制御を行う電源装置及び溶接用電源装置に関する。
【背景技術】
【０００２】
特許文献１に開示の電源装置等、出力電流値を検出する電流センサを設置し、該電流センサにて検出した出力電流値に基づいてインバータ回路のスイッチング動作を制御し、所望の出力電力とする出力制御を行う構成となっている。
【先行技術文献】
【特許文献】
【０００３】
【特許文献１】特開２００９−１３１００７号公報
【発明の概要】
【発明が解決しようとする課題】
【０００４】
ところで、電流センサは電流値の検出範囲が仕様毎に決まっているため、例えば出力電流値が数百［Ａ］の大電流から数［Ａ］の極小電流まで大きく変化するアーク溶接用電源装置等、出力電流値が大きく変化する電源装置では特に、全範囲を適切に検出可能な電流センサを選定するのが難しい。
【０００５】
例えば、大電流から極小電流までの広い電流域を検出可能な電流センサを用いる場合、電流センサの分解能が粗い設定となっていることから、分解能の限界に近い数［Ａ］程度の極小電流域での検出精度は低く、極小電流域では適切な出力制御が行えない。反対に、極小電流域に適した分解能の細かい電流センサでは検出可能な電流域が狭く、数百［Ａ］の大電流域までは検出不能、つまり使用ができなかった。
【０００６】
本発明は、上記課題を解決するためになされたものであって、その目的は、広い電流域に亘って出力電流値を適切に検出でき、全域で適切な出力制御を行うことができる電源装置及び溶接用電源装置を提供することにある。
【課題を解決するための手段】
【０００７】
上記課題を解決する電源装置は、出力電力を生成する電力生成回路と、出力電流値を検出する電流センサとを備えており、前記検出した出力電流値に基づいて前記電力生成回路を制御し所望の出力電力を得る出力制御を行う制御回路を備えた電源装置であって、前記電流センサには、検出可能な電流域と分解能とを含む仕様の異なるものが複数用いられ、前記出力電流値が大きい程、検出可能な電流域が広く分解能の粗い仕様の電流センサにて前記出力電流値の検出が行われ、前記出力電流値が小さい程、検出可能な電流域が狭く分解能の細かい仕様の電流センサにて前記出力電流値の検出が行われるように、前記出力電流値に対応して複数の電流センサの内の何れかを選択的に切り替えるセンサ切替手段を備える。
【０００８】
この構成によれば、出力電流値が大きい程、検出可能な電流域が広く分解能の粗い仕様の電流センサが選択され、出力電流値が小さい程、検出可能な電流域が狭く分解能の細かい仕様の電流センサが選択されて、各電流センサにて検出した出力電流値に基づく出力制御が行われる。つまり、広い電流域を扱う電源装置においては特に、各電流域に適した電流センサが選択されることで各電流域の出力電流値を適切に検出でき、各電流域毎で適切な出力制御を行うことが可能となる。
【０００９】
また上記の電源装置において、前記電力生成回路は、スイッチング素子のオンオフ動作により直流電力から高周波交流電力への電力変換を行うインバータ回路を含んで構成され、前記制御回路は、出力要求が大となる期間では前記インバータ回路のスイッチング素子のオンパルス幅を可変とするパルス幅変調制御を選択し、出力要求が小となる期間では同組で動作するスイッチング素子のオンパルス幅を所定幅に固定しつつ同組のオンパルスに位相差を生じさせる位相シフト制御に切り替える制御切替手段を備え、出力要求に応じたスイッチング制御を実施することが好ましい。
【００１０】
この構成によれば、インバータ回路のスイッチング制御において、出力要求の大きい期間ではパルス幅変調制御（ＰＷＭ制御）が実施され、出力要求が小さい期間になると位相シフト制御（ＰＳＭ制御）に切り替えられる。つまり、出力要求の小さい期間でＰＷＭ制御を実施したとするとインバータ回路のスイッチング素子が十分にオンできない虞があるが、これに代わってＰＳＭ制御を用いることでスイッチング素子のオンパルス幅を十分オン可能な所定幅としつつも出力を下げることが可能である。これにより、ＰＷＭ制御とＰＳＭ制御とを切り替えることで広い電流域での適切な出力制御が可能で、電流センサを切り替える上記構成との組み合わせによる相乗的効果が期待できる。
【００１１】
また上記の電源装置において、前記制御回路は、前記制御の切り替えと前記電流センサの切り替えとを同期させて行うことが好ましい。
この構成によれば、ＰＷＭ制御−ＰＳＭ制御の切り替えと電流センサの切り替えとを同期させて行うようにすることで、簡易な切り替え制御とすることが可能となる。
【００１２】
また上記の電源装置において、前記センサ切替手段は、複数の前記電流センサ毎の電路を並列接続し、何れの電路を選択的に接続するかで前記電流センサを切り替える回路を含んで構成されることが好ましい。
【００１３】
この構成によれば、電流センサを切り替える回路は、並列接続した電流センサ毎の電路を選択的に接続するかで切り替えを行う構成である。つまり、各電路上には各電流センサの耐性に合った電流が流れるため、電流センサの保護等の効果が期待できる。
【００１４】
また上記の電源装置において、前記センサ切替手段は、電源装置の動作開始時には常に、検出可能な電流域が広く分解能の粗い仕様の電流センサを選択するように構成されることが好ましい。
【００１５】
この構成によれば、電源装置の動作開始時には常に、検出可能な電流域が広く分解能の粗い仕様の電流センサが選択される構成、即ち耐性の高い電流センサが先に選択される構成としたため、電流センサの保護等の効果が期待できる。
【００１６】
また上記課題を解決する溶接用電源装置は、上記の電源装置を用い、溶接用の出力電力を生成するように構成される。
この構成によれば、広い電流域に亘って適切な出力制御が可能な溶接用電源装置として提供できる。
【発明の効果】
【００１７】
本発明の電源装置及び溶接用電源装置によれば、広い電流域に亘って出力電流値を適切に検出でき、全域で適切な出力制御を行うことができる。
【図面の簡単な説明】
【００１８】
【図１】一実施形態における溶接用電源装置の構成図である。
【図２】電源装置の動作を説明するための説明図である。
【図３】別例における電源装置の一部を示す構成図である。
【発明を実施するための形態】
【００１９】
以下、電源装置（溶接用電源装置）の一実施形態について説明する。
図１に示すように、本実施形態の電源装置１０は、一次側変換回路１１、インバータ回路１２、溶接トランスＩＮＴ、二次側変換回路１３を備えるアーク溶接用電源装置よりなり、商用電源から供給される三相の交流入力電力からアーク溶接に適した直流出力電力を生成する。
【００２０】
一次側変換回路１１は、整流回路ＤＲ１及び平滑コンデンサＣ１を備え、交流入力電力を一旦直流電力に変換してインバータ回路１２に出力する。インバータ回路１２は、ＩＧＢＴ等の半導体スイッチング素子ＴＲ１〜ＴＲ４を用いたブリッジ回路にて構成され、スイッチング素子ＴＲ１〜ＴＲ４によるスイッチング動作にて直流電力を高周波交流電力に変換する。これらスイッチング素子ＴＲ１〜ＴＲ４に対しては、制御回路２０による出力制御としてスイッチング制御（ＰＷＭ制御及びＰＳＭ制御）が実施される。インバータ回路１２は、生成した高周波交流電力を溶接トランスＩＮＴに出力する。
【００２１】
溶接トランスＩＮＴは、インバータ回路１２から出力される高周波交流電力を二次側交流電力に変換して二次側変換回路１３に出力する。二次側変換回路１３は、整流回路ＤＲ２及び直流リアクトルＤＣＬを備え、二次側交流電力をアーク溶接に適した直流出力電力に変換する。そして、電源装置１０のプラス側出力端子に溶接トーチＴＨを、マイナス側出力端子に溶接対象Ｍをそれぞれ接続し、電源装置１０にて生成した出力電力に基づき溶接トーチＴＨの電極と溶接対象Ｍとの間にアークを生じさせ、溶接対象Ｍのアーク溶接が行われる。
【００２２】
制御回路２０は、アーク溶接を良好に行うべくその時々の出力電力を適正値とするための出力制御として、インバータ回路１２のスイッチング素子ＴＲ１〜ＴＲ４に対してスイッチング制御を実施する。本実施形態の制御回路２０は、スイッチング制御としてパルス幅変調制御（ＰＷＭ制御）と位相シフト制御（ＰＳＭ制御）とを適宜切り替えて行っている（制御切替部２０ａ）。
【００２３】
制御回路２０のスイッチング制御について、インバータ回路１２のスイッチング素子ＴＲ１，ＴＲ４を組とし、スイッチング素子ＴＲ２，ＴＲ３を組として、各組を交互にオンオフ動作させる。例えば数百［Ａ］の大電流から数［Ａ］の極小電流までの出力電流を出力可能な電源装置１０である場合、図２に示すように、出力大時から出力小時、即ち数百［Ａ］から数十［Ａ］の電流域ではＰＷＭ制御が選択され、出力極小時、即ち数［Ａ］の極小電流域ではＰＳＭ制御が選択される。
【００２４】
ＰＷＭ制御は、スイッチング素子ＴＲ１〜ＴＲ４のオンパルス幅を可変とする制御であるが、出力大時では、溶接トランスＩＮＴ側に大きな電力伝達を行うためにスイッチング素子ＴＲ１〜ＴＲ４のオンパルス幅が幅広のパルス幅Ｗｘに設定される。また、出力を小さくするのに伴い、溶接トランスＩＮＴ側への電力伝達を小さくするためにスイッチング素子ＴＲ１〜ＴＲ４のオンパルス幅が次第に幅狭に設定される。オンパルス幅が極めて幅狭になると、スイッチング素子ＴＲ１〜ＴＲ４のオンへの切り替わりが不安定となって溶接トランスＩＮＴが偏磁へと進む虞があるのを懸念して、十分オン可能な最小のパルス幅Ｗ０に設定される出力小時がＰＷＭ制御を下限とし、それよりも小さい出力を行う出力極小時ではＰＳＭ制御とする。
【００２５】
ＰＳＭ制御は、組をなすスイッチング素子ＴＲ１，ＴＲ４間、及びスイッチング素子ＴＲ２，ＴＲ３間のオンパルスの位相を可変とする制御である。つまり、出力小時よりも小さい出力を行う出力極小時では、ＰＷＭ制御の臨界時であるその出力小時のオンパルス幅をパルス幅Ｗ０で固定した状態で、同組のスイッチング素子ＴＲ１，ＴＲ４間、及びスイッチング素子ＴＲ２，ＴＲ３間のオンパルスが位相α分ずらされる。この位相α（位相差）が大きいほど溶接トランスＩＮＴ側への電力伝達が一層小さくなり、出力極小を達成しつつもスイッチング素子ＴＲ１〜ＴＲ４のオン動作の安定化が図られる。
【００２６】
従って、制御回路２０内部で次に設定すべきオンパルス幅の算出が行われた際、制御切替部２０ａは、その算出幅とＰＷＭ−ＰＳＭ制御の臨界時点のパルス幅Ｗ０との比較を行い、算出幅がパルス幅Ｗ０よりも大であればＰＷＭ制御を選択する。そして、制御回路２０は、その算出幅をそのままオンパルス幅としたＰＷＭ制御を実施する。一方、算出幅がパルス幅Ｗ０よりも小となった場合、制御切替部２０ａはＰＷＭ制御からＰＳＭ制御に切り替える。そして、制御回路２０は、その算出幅ではなくパルス幅Ｗ０をオンパルス幅とし、同組のスイッチング素子ＴＲ１，ＴＲ４間、及びスイッチング素子ＴＲ２，ＴＲ３間のオンパルスの位相αを算出値に応じて調整するＰＳＭ制御を実施する。
【００２７】
また、インバータ回路１２のスイッチング制御（スイッチング素子ＴＲ１〜ＴＲ４のオンパルス幅の設定）を含む制御回路２０の各種制御においては、出力電流値を把握する必要がある。
【００２８】
ここで、電源装置１０の内部では、マイナス側出力端子に接続されるマイナス側電源線に出力電流が流れることから、このマイナス側電源線上に電流センサが設置、本実施形態では第１及び第２電流センサＩＤ１，ＩＤ２の２つの電流センサが設置されている。第１電流センサＩＤ１は、マイナス側電源線上に並列に設けた第１，第２電路の第１電路側に選択スイッチＳＷ１と共に設置され、第２電流センサＩＤ２は、第２電路側に選択スイッチＳＷ２と共に設置されている。因みに、第１及び第２電流センサＩＤ１，ＩＤ２は、例えばホール素子を用いるホール式電流センサであり、選択スイッチＳＷ１，ＳＷ２はＩＧＢＴ等の半導体スイッチである。
【００２９】
第１電流センサＩＤ１は、大電流から小電流域に合わせた広い電流域の検出が可能で分解能の粗い仕様の電流センサにて構成され、第２電流センサＩＤ２は、極小電流域に合わせた狭い電流域の検出が可能で分解能の細かい仕様の電流センサにて構成されている。例えば、出力電流５００［Ａ］仕様の電源装置１０である場合、第１電流センサＩＤ１には５００［Ａ］仕様の電流センサが、第２電流センサＩＤ２には３０［Ａ］仕様の電流センサが用いられ、出力電流２００［Ａ］仕様の電源装置１０である場合、第１電流センサＩＤ１には３００［Ａ］仕様の電流センサが、第２電流センサＩＤ２には３０［Ａ］仕様の電流センサが用いられるというように、仕様の異なる２つの電流センサＩＤ１，ＩＤ２が設置されている。第１及び第２電流センサＩＤ１，ＩＤ２は、制御回路２０（センサ切替部２０ｂ）の制御に基づく選択スイッチＳＷ１，ＳＷ２の相補の切り替え動作により、何れか一方がマイナス側電源線に接続されてその時々の出力電流の検出を行い、その検出信号を制御回路２０に出力する。
【００３０】
制御回路２０のセンサ切替部２０ｂは、大電流から小電流域では第１電流センサＩＤ１による電流検出を行わせるべく選択スイッチＳＷ１をオン（閉路）、選択スイッチＳＷ２をオフ（開路）し、極小電流域では第２電流センサＩＤ２による電流検出を行わせるべく選択スイッチＳＷ１をオフ、選択スイッチＳＷ２をオンする。つまり本実施形態では、大電流から小電流域で実施されるＰＷＭ制御時には第１電流センサＩＤ１による電流検出に基づく制御とし、極小電流域で実施されるＰＳＭ制御時には第２電流センサＩＤ２による電流検出に基づく制御とすべく、ＰＷＭ制御とＰＳＭ制御との切り替えと同期して第１及び第２電流センサＩＤ１，ＩＤ２による検出態様が切り替えられている。
【００３１】
次に、電源装置１０の動作（作用）を説明する。
アーク溶接を行うべく溶接トーチＴＨに備えられるトーチスイッチＴＳがオンされると、制御回路２０は、所望の出力電力を生成すべく出力制御としてインバータ回路１２のスイッチング制御を開始する。溶接動作開始時の状態として、制御回路２０の制御切替部２０ａはＰＷＭ制御を選択しており、センサ切替部２０ｂは選択スイッチＳＷ１をオン（選択スイッチＳＷ２をオフ）として第１電流センサＩＤ１による電流検出態様としている。
【００３２】
スイッチング制御の開始に際し、制御回路２０は、第１電流センサＩＤ１の検出に基づく出力電流値と電流設定器ＩＲによる設定電流値とに基づいて、ＰＷＭ制御とした場合のスイッチング素子ＴＲ１〜ＴＲ４のオンパルス幅の算出を行う。検出した出力電流値と設定電流値との差が大きいほど出力要求が大として、出力増大を図るべくオンパルス幅の算出値は大きくなる。オンパルス幅の算出値がパルス幅Ｗｘからパルス幅Ｗ０の間、即ち出力大から出力小の電流域であれば、制御切替部２０ａはＰＷＭ制御を維持し、制御回路２０は算出値をそのままオンパルス幅に設定するＰＷＭ制御を実施する。またセンサ切替部２０ｂは、第１電流センサＩＤ１による検出態様を維持する。
【００３３】
一方、オンパルス幅の算出値がパルス幅Ｗ０より小さくなる、即ち出力極小の電流域になると、制御切替部２０ａはスイッチング制御をＰＷＭ制御からＰＳＭ制御に切り替え、制御回路２０はオンパルス幅をパルス幅Ｗ０に固定すると共に算出値から位相αを算出してオンパルスに位相差を設定するＰＳＭ制御を実施する。またセンサ切替部２０ｂは、選択スイッチＳＷ２側をオン（選択スイッチＳＷ１側をオフ）に切り替え、第２電流センサＩＤ２による検出態様に切り替える。そして、その時々のオンパルス幅の算出値に基づいて、制御回路２０はＰＷＭ制御かＰＳＭ制御かを切り替えると共に、その制御の切り替えと同期させて電流検出態様を第１及び第２電流センサＩＤ１，ＩＤ２の何れかに切り替えている。
【００３４】
このように本実施形態では、電源装置１０が扱う大電流から極小電流までの広い電流域の中で各電流域に適した電流センサＩＤ１，ＩＤ２に切り替えることで、出力電流の全域で適切な電流検出が可能となり、この電流検出に基づく出力制御（スイッチング制御）は全域で適切な制御となる。また、電流センサＩＤ１，ＩＤ２の切り替えと同期して各電流域に適したＰＷＭ制御かＰＳＭ制御かが切り替えられるため、適切な出力制御が行われることの相乗的効果が得られるものとなっている。結果として、アーク溶接に品質向上が図られる。
【００３５】
次に、本実施形態の特徴的な効果を記載する。
（１）出力電流値が大きい側では、検出可能な電流域が広く分解能の粗い仕様の第１電流センサＩＤ１が選択され、出力電流値が小さい側では、検出可能な電流域が狭く分解能の細かい仕様の第２電流センサＩＤ２が選択されて、各電流センサＩＤ１，ＩＤ２にて検出した出力電流値に基づく出力制御（インバータ回路１２のスイッチング制御）が行われる。つまり、広い電流域を扱う本実施形態の電源装置１０においては特に、各電流域に適した電流センサＩＤ１，ＩＤ２が選択されることで各電流域の出力電流値を適切に検出でき、各電流域毎で適切な出力制御を行うことができる。
【００３６】
（２）インバータ回路１２のスイッチング制御において、出力要求の大きい期間ではＰＷＭ制御が実施され、出力要求が小さい期間になるとＰＳＭ制御に切り替えられる。つまり、出力要求の小さい期間でＰＷＭ制御を実施したとするとインバータ回路１２のスイッチング素子ＴＲ１〜ＴＲ４が十分にオンできない虞があるが、これに代わってＰＳＭ制御を用いることでスイッチング素子ＴＲ１〜ＴＲ４のオンパルス幅を十分オン可能な所定幅（幅Ｗ０）としつつも出力を下げることが可能である。これにより、ＰＷＭ制御とＰＳＭ制御とを切り替えることで広い電流域での適切な出力制御が可能で、電流センサＩＤ１，ＩＤ２を切り替える構成との組み合わせによる相乗的効果が期待できる。
【００３７】
（３）電流センサＩＤ１，ＩＤ２の切り替えやスイッチング制御の切り替えを行うことで、１つの電源装置１０であっても複数の出力仕様の電源装置として使用することができる。
【００３８】
（４）ＰＷＭ制御−ＰＳＭ制御の切り替えと電流センサＩＤ１，ＩＤ２の切り替えとを同期させて行うようにしたため、簡易な切り替え制御とすることができる。
（５）電流センサＩＤ１，ＩＤ２を切り替える回路は、並列接続した電流センサＩＤ１，ＩＤ２毎の電路を選択スイッチＳＷ１，ＳＷ２にて選択的に接続するかで切り替えを行う構成である。つまり、各電路上には各電流センサＩＤ１，ＩＤ２の耐性に合った電流が流れるため、電流センサＩＤ１，ＩＤ２の保護等の効果が期待できる。
【００３９】
（６）電源装置１０の動作開始時には常に、検出可能な電流域が広く分解能の粗い仕様の第１電流センサＩＤ１が選択される構成、即ち耐性の高い電流センサＩＤ１が先に選択される構成としたため、電流センサＩＤ１，ＩＤ２の保護、特に耐性の低い第２電流センサＩＤ２の保護等の効果が期待できる。
【００４０】
尚、上記実施形態は、以下のように変更してもよい。
・マイナス側電源線上に並列に設けた第１，第２電路に電流センサＩＤ１，ＩＤ２をそれぞれ１つずつ設置し、選択スイッチＳＷ１，ＳＷ２にて電路を切り替えて電流センサＩＤ１，ＩＤ２を選択する構成としたが、これに限らず適宜変更してもよい。
【００４１】
例えば図３に示すように、マイナス側電源線上に２つの電流センサＩＤ１，ＩＤ２を並べて設置し、制御回路２０への検出信号の入力を選択スイッチＳＷ１，ＳＷ２にて選択する構成としてもよい。またこの場合、制御回路２０の内部で電流センサＩＤ１，ＩＤ２からの検出信号の入力を選択できれば、選択スイッチＳＷ１，ＳＷ２を省略することもできる。
【００４２】
・検出した出力電流値と設定電流値との差に基づくオンパルス幅の算出値から、電流センサＩＤ１，ＩＤ２の切り替えやＰＷＭ−ＰＳＭ制御の切り替えを行ったが、これ以外のパラメータに基づいて切り替えるようにしてもよい。
【００４３】
・電流センサＩＤ１，ＩＤ２の切り替えと、ＰＷＭ−ＰＳＭ制御の切り替えとを同期させたが、同期させなくてもよく、電流センサＩＤ１，ＩＤ２の切り替えと、ＰＷＭ−ＰＳＭ制御の切り替えとを個別に行うようにしてもよい。
【００４４】
・電流センサＩＤ１，ＩＤ２の切り替えにヒステリシスを設定してもよい。
・仕様の異なる２つの電流センサＩＤ１，ＩＤ２を切り替える態様であったが、仕様の異なる３以上の電流センサを切り替える態様としてもよい。
【００４５】
・ＰＷＭ制御とＰＳＭ制御の両制御を用いる態様であったが、ＰＷＭ制御のみの出力制御、ＰＳＭ制御のみの出力制御等、１つのスイッチング制御を行うものであってもよい。
・上記実施形態の電源装置１０はＴＩＧ溶接用を想定しているが、その他のアーク溶接用の電源装置に適用してもよい。またアーク溶接以外の溶接用の電源装置や溶接以外の電源装置に適用してもよい。
【符号の説明】
【００４６】
１０            溶接用電源装置（電源装置）
１１            一次側変換回路（電力生成回路）
１２            インバータ回路（電力生成回路）
１３            二次側変換回路（電力生成回路）
ＩＮＴ          溶接トランス（電力生成回路）
２０            制御回路
２０ａ          制御切替部（制御切替手段）
２０ｂ          センサ切替部（センサ切替手段）
ＳＷ１，ＳＷ２  選択スイッチ（センサ切替手段）
ＩＤ１，ＩＤ２  電流センサ
ＴＲ１〜ＴＲ４  スイッチング素子
【図１】
2015220792.tif 000003
【図２】
2015220792.tif 000004
【図３】
2015220792.tif 000005